(57)【要約】【課題】合成樹脂フイルムに無機混合ペーストによる無機混合塗料層を印刷によって形成した場合でもこれが破壊されることなく、ファインで良好な抜き文字部が得られるキートップ及びその製造方法を提供する。【解決手段】透明又は半透明の樹脂フイルム１０の湾曲部１１内に、樹脂中に無機粉末を混合した無機混合ペーストを印刷形成してなる無機混合塗料層１３と樹脂ペーストを印刷してなる保護層１５とが積層して配置され、無機混合塗料層１３及び保護層１５に無機混合塗料層及び保護層１５を設けない抜き文字部１９が設けられる。保護層１５及び抜き文字部１９上に樹脂ペーストを印刷してなる色彩層１７を配置する。湾曲部１１内に合成樹脂製のキートップ本体２１を取り付ける。【選択図】図１
2008152964.tif 000002
【特許請求の範囲】
【請求項１】
透明又は半透明の樹脂フイルムに、樹脂中に無機粉末を混合した無機混合ペーストを印刷形成してなる無機混合塗料層と樹脂ペーストを印刷してなる保護層とが積層して配置され、この無機混合塗料層及び保護層に無機混合塗料層及び保護層を設けない抜き文字部が設けられ、前記保護層及び抜き文字部上に樹脂ペーストを印刷してなる色彩層を配置し、
さらに前記樹脂フイルムの抜き文字部を設けた部分に合成樹脂製のキートップ本体を取り付けて構成されることを特徴とするキートップ。
【請求項２】
透明又は半透明の樹脂フイルムに、樹脂中に無機粉末を混合した無機混合ペーストを印刷形成してなる無機混合塗料層が配置され、この無機混合塗料層に無機混合塗料層を設けない抜き文字部が設けられ、前記無機混合塗料層及び抜き文字部上に樹脂ペーストを印刷してなる色彩層を配置し、
さらに前記樹脂フイルムの抜き文字部を設けた部分に合成樹脂製のキートップ本体を取り付けて構成されることを特徴とするキートップ。
【請求項３】
前記樹脂フイルムの抜き文字部を設けた部分は湾曲部となっており、
この湾曲部内に前記キートップ本体が取り付けられることを特徴とする請求項１又は２に記載のキートップ。
【請求項４】
前記無機粉末は金属粉であり、前記無機混合塗料層はメタリック層であることを特徴とする請求項１又は２又は３に記載のキートップ。
【請求項５】
請求項１に記載のキートップの製造方法において、
透明又は半透明の樹脂フイルムの一方の面に、樹脂中に無機粉末を混合した無機混合ペーストを印刷することで無機混合塗料層を形成する工程と、
前記無機混合塗料層の上に樹脂ペーストを印刷することで保護層を形成する工程と、
前記無機混合塗料層及び保護層にレーザカットによって抜き文字部を形成する工程と、
前記保護層及び抜き文字部を覆うように樹脂ペーストを印刷することで色彩層を形成する工程と、
前記樹脂フイルムの抜き文字部を設けた部分に合成樹脂製のキートップ本体を取り付ける工程と、
を具備してなることを特徴とするキートップの製造方法。
【請求項６】
請求項２に記載のキートップの製造方法において、
透明又は半透明の樹脂フイルムの一方の面に、樹脂中に無機粉末を混合した無機混合ペーストを印刷することで無機混合塗料層を形成する工程と、
この無機混合塗料層にレーザカットによって無機混合塗料層を設けない抜き文字部を形成する工程と、
前記無機混合塗料層及び抜き文字部を覆うように樹脂ペーストを印刷することで色彩層を形成する工程と、
前記樹脂フイルムの抜き文字部を設けた部分に合成樹脂製のキートップ本体を取り付ける工程と、
を具備してなることを特徴とするキートップの製造方法。
【発明の詳細な説明】
【技術分野】
【０００１】
本発明は、各種電子機器に使用される押釦スイッチなどに用いて好適なキートップ及びその製造方法に関するものである。
【背景技術】
【０００２】
近年、携帯機器などの各種電子機器に用いられる押釦スイッチにおいて、鏡面感があり、且つ照光性のあるキートップの要求が多くなっている。一方従来キートップとして、合成樹脂製の成形品であるキートップ本体の上面又は下面に合成樹脂フイルムを配置する構造のものがある。そして上記合成樹脂フイルムを用いたキートップに鏡面感及び照光性を持たせる場合、例えば前記キートップ本体と合成樹脂フイルムとを透光性のある材料で構成し、合成樹脂フイルムのキートップ本体を取り付ける側の表面に金属蒸着による蒸着膜を形成し、蒸着膜中に蒸着膜を設けない抜き文字部を形成し、さらに抜き文字部を透光性のある加飾印刷層で覆うように構成していた（例えば特許文献１）。このように構成したキートップにおいて、キートップをその下面側から照光すると、抜き文字部を合成樹脂フイルムの表面側に加飾印刷層の色彩でくっきりと表示できるとともに、キートップの表面側は蒸着膜によって鏡面感を持たせることができる。
【０００３】
一方キートップに鏡面感を持たせるために上述のような蒸着膜を用いると、通常の印刷による印刷層に比べてその製造コストが高くなってしまうので、近年蒸着膜の代りに、樹脂中にアルミ粉等の無機粉末を混合してなる無機混合ペーストを印刷することで、鏡面感を持たせる方法も考えられている。
【０００４】
しかしながら無機混合ペーストを用いて鏡面感を持たせようとすると、以下のような問題点があった。即ち樹脂中に無機粉末を混合すると、無機粉末のためにもろくなる。このため、合成樹脂フイルムに無機混合ペーストからなる印刷層（以下「無機混合塗料層」という）を形成した後にこの合成樹脂フイルムに樹脂製のキートップ本体を成形等によって取り付けようとすると、成形時の熱や応力などによって前記もろい無機混合塗料層の一部が破壊されてしまう恐れがあった。また合成樹脂フイルムに無機混合ペーストをスクリーン印刷して抜き文字部を有する無機混合塗料層を形成した場合、無機混合ペーストはもろいので、抜き文字部と無機混合塗料層との境界線がファインにならず、良好な抜き文字部が得られなかった。
【特許文献１】特開２００３−１２３５８２号公報
【発明の開示】
【発明が解決しようとする課題】
【０００５】
本発明は上述の点に鑑みてなされたものでありその目的は、合成樹脂フイルムに無機混合ペーストによる無機混合塗料層を印刷によって形成した場合でもこれが破壊されることがなく、またファインで良好な抜き文字部が得られるキートップ及びその製造方法を提供することにある。
【課題を解決するための手段】
【０００６】
本願請求項１に記載の発明は、透明又は半透明の樹脂フイルムに、樹脂中に無機粉末を混合した無機混合ペーストを印刷形成してなる無機混合塗料層と樹脂ペーストを印刷してなる保護層とが積層して配置され、この無機混合塗料層及び保護層に無機混合塗料層及び保護層を設けない抜き文字部が設けられ、前記保護層及び抜き文字部上に樹脂ペーストを印刷してなる色彩層を配置し、さらに前記樹脂フイルムの抜き文字部を設けた部分に合成樹脂製のキートップ本体を取り付けて構成されることを特徴とするキートップにある。
【０００７】
本願請求項２に記載の発明は、透明又は半透明の樹脂フイルムに、樹脂中に無機粉末を混合した無機混合ペーストを印刷形成してなる無機混合塗料層が配置され、この無機混合塗料層に無機混合塗料層を設けない抜き文字部が設けられ、前記無機混合塗料層及び抜き文字部上に樹脂ペーストを印刷してなる色彩層を配置し、さらに前記樹脂フイルムの抜き文字部を設けた部分に合成樹脂製のキートップ本体を取り付けて構成されることを特徴とするキートップにある。
【０００８】
本願請求項３に記載の発明は、前記樹脂フイルムの抜き文字部を設けた部分は湾曲部となっており、この湾曲部内に前記キートップ本体が取り付けられることを特徴とする請求項１又は２に記載のキートップにある。
【０００９】
本願請求項４に記載の発明は、前記無機粉末は金属粉であり、前記無機混合塗料層はメタリック層であることを特徴とする請求項１又は２又は３に記載のキートップにある。
【００１０】
本願請求項５に記載の発明は、請求項１に記載のキートップの製造方法において、透明又は半透明の樹脂フイルムの一方の面に、樹脂中に無機粉末を混合した無機混合ペーストを印刷することで無機混合塗料層を形成する工程と、前記無機混合塗料層の上に樹脂ペーストを印刷することで保護層を形成する工程と、前記無機混合塗料層及び保護層にレーザカットによって抜き文字部を形成する工程と、前記保護層及び抜き文字部を覆うように樹脂ペーストを印刷することで色彩層を形成する工程と、前記樹脂フイルムの抜き文字部を設けた部分に合成樹脂製のキートップ本体を取り付ける工程と、を具備してなることを特徴とするキートップの製造方法にある。
【００１１】
本願請求項６に記載の発明は、請求項２に記載のキートップの製造方法において、透明又は半透明の樹脂フイルムの一方の面に、樹脂中に無機粉末を混合した無機混合ペーストを印刷することで無機混合塗料層を形成する工程と、この無機混合塗料層にレーザカットによって無機混合塗料層を設けない抜き文字部を形成する工程と、前記無機混合塗料層及び抜き文字部を覆うように樹脂ペーストを印刷することで色彩層を形成する工程と、前記樹脂フイルムの抜き文字部を設けた部分に合成樹脂製のキートップ本体を取り付ける工程と、を具備してなることを特徴とするキートップの製造方法にある。
【発明の効果】
【００１２】
請求項１，３に記載の発明によれば、もろい材質からなる無機混合塗料層を、樹脂ペーストを印刷してなる保護層によって保護した上で、樹脂ペーストを印刷してなる色彩層を設けたので、もろい無機混合塗料層が強靭な保護層と色彩層とによって保護される。従ってこれら各層を積層形成した樹脂フイルムにキートップ本体を取り付けても、前記無機混合塗料層にひび割れや剥離などの不都合が生じることはない。
【００１３】
請求項２，３に記載の発明によれば、もろい材質からなる無機混合塗料層を、樹脂ペーストを印刷してなる色彩層によって保護したので、もろい無機混合塗料層が強靭な色彩層によって保護される。従ってこれら各層を積層形成した樹脂フイルムにキートップ本体を取り付けても、前記無機混合塗料層にひび割れや剥離などの不都合が生じることはない。
【００１４】
請求項４に記載の発明によれば、キートップ表面の色彩を金属色調にすることができる。
【００１５】
請求項５に記載の発明によれば、もろい材質からなる無機混合塗料層を形成した樹脂フイルムにキートップ本体を取り付けても、無機混合塗料層にひび割れや剥離などの不都合が生じることはない。また抜き文字部をレーザカットによって形成したので、例えもろい材質からなる無機混合ペーストを用いて無機混合塗料層を形成しても、ファインで良好な抜き文字部が得られる。
【００１６】
請求項６に記載の発明によれば、もろい材質からなる無機混合塗料層を形成した樹脂フイルムにキートップ本体を取り付けても、無機混合塗料層にひび割れや剥離などの不都合が生じることはない。また抜き文字部をレーザカットによって形成したので、例えもろい材質からなる無機混合ペーストを用いて無機混合塗料層を形成しても、ファインで良好な抜き文字部が得られる。
【発明を実施するための最良の形態】
【００１７】
以下、本発明の実施形態を図面に基づいて詳細に説明する。
〔第１実施形態〕
図１は本発明の第１実施形態にかかるキートップ１−１の拡大概略断面図である。なおこのキートップ１−１を構成する樹脂フイルム１０の周囲には、実際には複数のキートップ（キートップ１−１と同一構造でも、異なる構造でもよい）が配置されており、１枚の樹脂フイルム１０上に複数のキートップを設けたキートップ板となっている。また図示の都合上、各部材の厚みは実際の厚みよりもかなり厚く示している。
【００１８】
同図に示すようにキートップ１−１は、湾曲部１１を設けてなる透明又は半透明の樹脂フイルム１０の湾曲部１１内に、無機混合塗料層１３と保護層１５と色彩層１７とを配置し、さらに湾曲部１１内に合成樹脂製のキートップ本体２１を取り付けて構成されている。以下各構成部材について説明する。
【００１９】
樹脂フイルム１０は弾性（可撓性）を有する透明又は半透明な樹脂フイルムで構成されており、この実施形態ではポリエチレンテレフタレート（ＰＥＴ）フイルムが使用されている。もちろん他の各種材質からなる樹脂フイルム、例えばポリフェニレンスルフイド（ＰＰＳ）フイルム、ポリイミド（ＰＩ）フィルム、ポリエチレンナフタレート（ＰＥＮ）フイルム、ポリエーテルイミド（ＰＥＩ）フイルム、ポリエーテルエーテルケトン（ＰＥＥＫ）フイルム、ポリエーテルケトン（ＰＥＫ）フイルム、ポリカーボネート（ＰＣ）フイルム、ポリブチレンナフタレート（ＰＢＮ）フイルム、ポリブチレンテレフタレート（ＰＢＴ）フイルム等、を使用しても良い。またこの実施形態では樹脂フイルム１０の厚みを５０μｍとしているが、他の寸法であっても良い。
【００２０】
無機混合塗料層１３は樹脂フイルム１０の湾曲部１１の下面（内面）及び湾曲部１１の外方の樹脂フイルム１０の下面に連続して設けられている。この無機混合塗料層１３は金属色調であり、鏡面感がある材料で構成され、具体的には樹脂中に溶剤と無機粉末とを混合した無機混合ペーストを印刷形成することで形成されるメタリック層である。この実施形態では、無機粉末としてアルミニウム粉を使用し、その厚みを５〜１０μｍとしている。もちろん無機粉末として他の各種無機粉末、例えばニッケル、チタン、クロム等の金属粉、さらに金属以外の各種無機粉末等を用いてもよい。この実施形態では無機混合塗料層１３は可視光線を透過させない色彩・厚みで印刷されている（もちろん可視光線を透過させる状態で印刷しても良い）。また無機混合塗料層１３には、無機混合塗料層１３を設けない抜き文字部（光透過部）１９が設けられている。抜き文字部１９の形状は、文字ばかりでなく、数字、図形、記号、模様等を含む概念である。
【００２１】
保護層１５はポリエステル系樹脂やウレタン系樹脂等を溶剤に溶かしたものを印刷することによって形成されている。保護層１５は透光性を有していなくてもよいが、この実施形態では下記する色彩層１７とその材質を同一とするため、透光性を有し有色のものを使用しており、この実施形態では黒色系の色彩のものを使用している。保護層１５の厚みは、この実施形態では５〜１０μｍ程度である。保護層１５にも、前記無機混合塗料層１３と同一の保護層１５を設けない抜き文字部（光透過部）１９が設けられている。
【００２２】
色彩層１７はポリエステル系樹脂やウレタン系樹脂等を溶剤に溶かしたものを印刷することによって形成されており、合成樹脂製のキートップ本体２１を成形する際にこのキートップ本体２１に対して接着する材質のものを使用している。色彩層１７は透光性を有しており、有色のものを使用しており、この実施形態では黒色系の色彩のものを使用している。色彩層１７の厚みは、この実施形態では５〜１０μｍ程度である。色彩層１７は保護層１５及び抜き文字部１９上に配置されている。
【００２３】
キートップ本体２１は熱可塑性の透明又は半透明な合成樹脂材料で構成されており、この実施形態ではポリカーボネート樹脂を使用している。もちろん他の各種合成樹脂（例えば熱可塑性の合成樹脂であるＡＢＳ樹脂やＰＥＴ樹脂やポリメチルメタアクリレート樹脂等）を用いても良い。キートップ本体２１の下面は樹脂フイルム１０の下面と同一面となっている。
【００２４】
図２は上記キートップ１−１の下面にゴム状弾性板３０を配置した状態を示す拡大概略断面図である。同図に示すように、ゴム状弾性板３０は、ゴム状弾性を有する透明又は半透明な板部材３１（この実施形態ではシリコンゴムを使用しているが、ゴム状弾性を有する材質であれば他のゴム材、合成樹脂材等、どのような材質であってもよい）の下面に、下方向に突出する突状の押圧部３３を設けて構成されている。押圧部３３はその上に載置するキートップ１−１の真下に位置する。
【００２５】
そしてキートップ１−１を押圧すれば、押圧部３３が押圧されてその真下に配置した図示しないスイッチが押圧され、オンする。一方ゴム状弾性板３０の下側から各種照光手段によって照光すれば、その光はゴム状弾性板３０を通してキートップ１−１に導かれ、キートップ本体２１を透過し、有色ではあるが光を通す色彩層１７で覆われている抜き文字部１９を透過し、抜き文字部１９がキートップ１−１の表面側（樹脂フイルム１１の表面側）にくっきりと明るく照らし出され、表示されるとともに、キートップ１−１の表面側は無機混合塗料層１３によって鏡面感が持たせられる。
【００２６】
次にキートップ１−１の製造方法を説明する。図３乃至図７はキートップ１−１の製造方法説明図である。まず図３に示すように、樹脂フイルム１０の一方の面（下面）の略全面に、前記無機混合ペーストをスクリーン印刷（シルクスクリーン印刷）によって印刷することで無機混合塗料層１３を形成する。
【００２７】
次に図４に示すように、無機混合塗料層１３の上（下面）の湾曲部１１となる部分に樹脂ペーストをスクリーン印刷することで保護層１５を形成する。
【００２８】
次に図５に示すように、保護層１５を設けた側からレーザ光線を照射することで、保護層１５及び無機混合塗料層１３をレーザカットして抜き文字部１９を形成する。無機混合塗料層１３は無機粉末を有していてもろいので、スクリーン印刷の段階で抜き文字部１９を形成しようとすると、前述のように抜き文字部１９と無機混合塗料層１３との境界線がファインにならない。そこで本発明においては、抜き文字部１９をレーザカットによって形成することで、例えもろい材質の無機混合ペーストを用いて無機混合塗料層１３を形成しても、ファインで良好な抜き文字部１９が得られるようにしたのである。なおレーザ光線は場合によっては樹脂フイルム１０側から照射しても良い。
【００２９】
次に図６に示すように、保護層１５の表面を覆うように樹脂ペーストを印刷することで色彩層１７を形成してこの色彩層１７の色彩を樹脂フイルム１０側から見えるように抜き文字部１９に露出させる。色彩層１７も保護層１５の上（下面）の湾曲部１１となる部分に形成される。
【００３０】
次に図７に示すように、樹脂フイルム１０のキートップ１−１を設けようとする部分を図示しない樹脂フイルムフォーミング用の金型を用いて絞り加工することで上方向に（無機混合塗料層１３等を印刷した側の面を内側として）凸となるように湾曲変形させて湾曲部１１を形成する（プレフォーミング）。湾曲部１１の形状はキートップ１−１の上面形状と略同一にする（但し、必ずしも略同一にする必要はない）。
【００３１】
次に湾曲部１１を設けた樹脂フイルム１０を図示しない樹脂成形用の金型内に設置する。このとき金型内にはキートップ１−１と同一形状のキャビティーが形成されており、このキャビティー内に前記湾曲部１１が収納される。そしてこのキャビティー内に溶融した樹脂を注入して満たし、溶融樹脂が固化した後に金型を取り外せば、図１に示すキートップ１−１が完成する。
【００３２】
以上のキートップ１−１の製造工程において、樹脂フイルム１０に湾曲部１１を形成する際と、湾曲部１１内に溶融樹脂を注入する際に、樹脂フイルム１０及びこれに積層された各層には強い延伸力や収縮力及び熱と圧力というストレスが印加される。このためもろい材質からなる無機混合塗料層１３は前記ストレスによってその一部が破壊されてしまう恐れがあるが、本発明にかかるキートップ１−１においては、もろい材質からなる無機混合塗料層１３を、樹脂ペーストを印刷してなる保護層１５によって保護した上で、樹脂ペーストを印刷してなる色彩層１７を設けたので、もろい無機混合塗料層１３が強靭な保護層１５と色彩層１７とによって保護される。従って前述のようなストレスが無機混合塗料層１３に印加されても、無機混合塗料層１３にひび割れや剥離などの不都合が生じることはない。
【００３３】
〔第２実施形態〕
図８は本発明の第２実施形態にかかるキートップ１−２の拡大概略断面図である。同図に示すキートップ１−２において、前記図１〜図７に示す実施形態にかかるキートップ１−１と同一又は相当部分には同一符号を付す。なお以下で説明する事項以外の事項については、前記図１〜図７に示す実施形態と同じである。
【００３４】
このキートップ１−２において前記キートップ１−１と相違する点は、前記キートップ１−１において無機混合塗料層１３の下面側に積層した保護層１５を省略した点のみである。即ちこのキートップ１−２は、湾曲部１１を設けてなる透明又は半透明の樹脂フイルム１０の前記湾曲部１１内に、樹脂中に無機粉末を混合した無機混合ペーストを印刷形成してなる無機混合塗料層１３を配置し、この無機混合塗料層１３に無機混合塗料層１３を設けない抜き文字部１９を設け、無機混合塗料層１３及び抜き文字部１９上に樹脂ペーストを印刷してなる色彩層１７を配置してこの色彩層１７の色彩を樹脂フイルム１０側から見えるように前記抜き文字部１９に露出させ、さらに前記湾曲部１１内に合成樹脂製のキートップ本体２１を取り付けて構成されている。
【００３５】
またキートップ１−２の製造方法も、前記キートップ１−１の製造方法から保護層１５の形成工程を省略した点のみが相違する。即ちキートップ１−２の製造は、透明又は半透明の樹脂フイルム１０の一方の面に、樹脂中に無機粉末を混合した無機混合ペーストを印刷することで無機混合塗料層１３を形成する工程と、この無機混合塗料層１３にレーザカットによって無機混合塗料層１３を設けない抜き文字部１９を形成する工程と、無機混合塗料層１３及び抜き文字部１９を覆うように樹脂ペーストを印刷することで色彩層１７を形成してこの色彩層１７の色彩を樹脂フイルム１０側から見えるように抜き文字部１９に露出させる工程と、樹脂フイルム１０を無機混合塗料層１３を印刷した側の面を内側として湾曲させて湾曲部１１を形成するとともに湾曲部１１内に合成樹脂製のキートップ本体２１を成形する工程と、によって行われる。
【００３６】
この実施形態のように保護層１５を設けない場合、色彩層１７が保護層の役目を兼用する。即ち色彩層１７は上記実施形態でも説明したように、保護層１５と同一の材質によって形成されているので、この色彩層１７が無機混合塗料層１３を保護し、従って上記キートップ１−２の製造工程において、樹脂フイルム１０に湾曲部１１を形成する際と、湾曲部１１内に溶融樹脂を注入する際に、樹脂フイルム１０及びこれに積層された各層には強い延伸力や収縮力及び熱と圧力というストレスが印加されるが、本発明にかかるキートップ１−２においては、もろい材質からなる無機混合塗料層１３を、樹脂ペーストを印刷してなる色彩層１７によって保護したので、もろい無機混合塗料層１３が強靭な色彩層１７によって保護される。従って前述のようなストレスが無機混合塗料層１３に印加されても、無機混合塗料層１３にひび割れや剥離などの不都合が生じることはない。またレーザ光線を照射することで無機混合塗料層１３をレーザカットして抜き文字部１９を形成するので、例えもろい材質の無機混合ペーストを用いて無機混合塗料層１３を形成しても、ファインで良好な抜き文字部１９が得られる。
【００３７】
〔第３実施形態〕
図９は本発明の第３実施形態にかかるキートップ１−３の拡大概略断面図である。同図に示すキートップ１−３において、前記図１〜図７に示す実施形態にかかるキートップ１−１と同一又は相当部分には同一符号を付す。なお以下で説明する事項以外の事項については、前記図１〜図７に示す実施形態と同じである。
【００３８】
このキートップ１−３において前記キートップ１−１と相違する点は、樹脂フイルム１０に湾曲部１１を設けず、平面状の樹脂フイルム１０上に直接合成樹脂製のキートップ本体２１を取り付けた点である。この実施形態の場合、樹脂フイルム１０を湾曲変形しないので、その分無機混合塗料層１３へのストレスは減少するが、キートップ本体２１を成形やその他の方法で取り付ける際の熱や圧力や機械的外力は印加されるので、もろい無機混合塗料層１３が破壊される恐れがあり、その下面側に保護層１５と色彩層１７を設けて無機混合塗料層１３を保護することは有効である。
【００３９】
即ちこのキートップ１−３は、透明又は半透明の樹脂フイルム１０に、樹脂中に無機粉末を混合した無機混合ペーストを印刷形成してなる無機混合塗料層１３と樹脂ペーストを印刷してなる保護層１５とが積層して配置され、この無機混合塗料層１３及び保護層１５に無機混合塗料層１３及び保護層１５を設けない抜き文字部１９が設けられ、前記保護層１５及び抜き文字部１９上に樹脂ペーストを印刷してなる色彩層１７を配置し、さらに前記樹脂フイルム１０の抜き文字部１９を設けた部分に合成樹脂製のキートップ本体２１を取り付けて構成されている。
【００４０】
またキートップ１−３の製造方法も、前記キートップ１−１の製造方法と比べて湾曲部１１を形成する点が省略されている。即ちキートップ１−３の製造は、透明又は半透明の樹脂フイルム１０の一方の面に、樹脂中に無機粉末を混合した無機混合ペーストを印刷することで無機混合塗料層１３を形成する工程と、前記無機混合塗料層１３の上に樹脂ペーストを印刷することで保護層１５を形成する工程と、前記無機混合塗料層１３及び保護層１５にレーザカットによって抜き文字部１９を形成する工程と、前記保護層１５及び抜き文字部１９を覆うように樹脂ペーストを印刷することで色彩層１７を形成する工程と、前記樹脂フイルム１０の抜き文字部１９を設けた部分に合成樹脂製のキートップ本体２１を取り付ける工程と、によって行われる。
【００４１】
この実施形態の場合も、第１実施形態の場合と同様の効果を奏する。なおこの実施形態では、無機混合塗料層１３及び保護層１５及び色彩層１７を樹脂フイルム１０の下面側（キートップ本体２１を取り付ける面の反対側の面）に配置したが、逆に樹脂フイルム１０の上面側（キートップ本体２１を取り付ける側の面）に配置しても良い。
【００４２】
〔第４実施形態〕
図１０は本発明の第４実施形態にかかるキートップ１−４の拡大概略断面図である。同図に示すキートップ１−４において、前記図８に示す実施形態にかかるキートップ１−２と同一又は相当部分には同一符号を付す。なお以下で説明する事項以外の事項については、前記図８に示す実施形態と同じである。
【００４３】
このキートップ１−４において前記キートップ１−２と相違する点は、樹脂フイルム１０に湾曲部１１を設けず、平面状の樹脂フイルム１０上に直接合成樹脂製のキートップ本体２１を取り付けた点である。この実施形態の場合も第３実施形態と同様に、樹脂フイルム１０を湾曲変形しないので、その分無機混合塗料層１３へのストレスは減少するが、キートップ本体２１を成形やその他の方法で取り付ける際の熱や圧力や機械的外力は印加されるので、もろい無機混合塗料層１３が破壊される恐れがあり、その下面側に保護層１５と色彩層１７を設けて無機混合塗料層１３を保護することは有効である。
【００４４】
即ちこのキートップ１−４は、透明又は半透明の樹脂フイルム１０に、樹脂中に無機粉末を混合した無機混合ペーストを印刷形成してなる無機混合塗料層１３が配置され、この無機混合塗料層１３に無機混合塗料層１３を設けない抜き文字部１９が設けられ、前記無機混合塗料層１３及び抜き文字部１９上に樹脂ペーストを印刷してなる色彩層１７を配置し、さらに前記樹脂フイルム１０の抜き文字部１９を設けた部分に合成樹脂製のキートップ本体２１を取り付けて構成されている。
【００４５】
またキートップ１−４の製造方法も、前記キートップ１−２の製造方法と比べて湾曲部１１を形成する点が省略されている。即ちキートップ１−４の製造は、透明又は半透明の樹脂フイルム１０の一方の面に、樹脂中に無機粉末を混合した無機混合ペーストを印刷することで無機混合塗料層１３を形成する工程と、この無機混合塗料層１３にレーザカットによって無機混合塗料層１３を設けない抜き文字部１９を形成する工程と、前記無機混合塗料層１３及び抜き文字部１９を覆うように樹脂ペーストを印刷することで色彩層１７を形成する工程と、前記樹脂フイルム１０の抜き文字部１９を設けた部分に合成樹脂製のキートップ本体２１を取り付ける工程と、によって行われる。
【００４６】
この実施形態の場合も、第２実施形態の場合と同様の効果を奏する。なおこの実施形態では、無機混合塗料層１３及び色彩層１７を樹脂フイルム１０の下面側（キートップ本体２１を取り付ける面の反対側の面）に配置したが、逆に樹脂フイルム１０の上面側（キートップ本体２１を取り付ける側の面）に配置しても良い。
【００４７】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記実施形態では、無機混合塗料層１３、保護層１５、色彩層１７を何れも１層ずつ設けたが、これらはそれぞれ必要に応じて複数層ずつ設けてもよい。上記実施形態では色彩層１７を黒色としたが、他の各種色彩でも良く、さらに本発明でいう色彩層１７の色彩は、無色透明も含む概念である。また上記実施形態では保護層１５と色彩層１７を同一材質としたが、異なる材質としてもよい。また抜き文字部１９を裏面側からの照光タイプとしない場合は、色彩層１７を光を透過しない材質で構成しても良い。またキートップ１−１の下面側にゴム状弾性板３０を配置したが、ゴム状弾性板３０は省略し、キートップ１−１の下面で直接スイッチを押圧するように構成しても良い。
【００４８】
また上記実施形態では予め湾曲部１１を形成（プレフォーミング）した樹脂フイルム１０を、樹脂成形用の金型内に設置してキャビティー内に溶融成形樹脂を圧入してキートップ１−１，１−２を製造したが、プレフォーミング工程を省略して、図６に示す平板状の樹脂フイルム１０を直接樹脂成形用の金型内に設置してキャビティー内に溶融樹脂を圧入することでその熱と圧力によって樹脂フイルム１０をキャビティーの内壁面まで引き延ばして湾曲部１１を形成してキートップ１−１，１−２を製造するようにしてもよい。また上記実施形態ではキートップ本体２１を金型を用いて成形することで樹脂フイルム１０に取り付けたが、キートップ本体２１は例えば紫外線硬化型樹脂を印刷又は塗布等によって樹脂フイルム１０に取り付けたり、予め単品で成形したキートップ本体２１を接着等によって樹脂フイルム１０に取り付けたりしても良い。
【図面の簡単な説明】
【００４９】
【図１】キートップ１−１の拡大概略断面図である。
【図２】キートップ１−１の下面にゴム状弾性板３０を配置した状態を示す拡大概略断面図である。
【図３】キートップ１−１の製造方法説明図である。
【図４】キートップ１−１の製造方法説明図である。
【図５】キートップ１−１の製造方法説明図である。
【図６】キートップ１−１の製造方法説明図である。
【図７】キートップ１−１の製造方法説明図である。
【図８】キートップ１−２の拡大概略断面図である。
【図９】キートップ１−３の拡大概略断面図である。
【図１０】キートップ１−４の拡大概略断面図である。
【符号の説明】
【００５０】
１−１  キートップ
１０  樹脂フイルム
１１  湾曲部
１３  無機混合塗料層（メタリック層）
１５  保護層
１７  色彩層
１９  抜き文字部（光透過部）
２１  キートップ本体
３０  ゴム状弾性板
１−２  キートップ
１−３  キートップ
１−４  キートップ
【図１】
2008152964.tif 000003
【図２】
2008152964.tif 000004
【図３】
2008152964.tif 000005
【図４】
2008152964.tif 000006
【図５】
2008152964.tif 000007
【図６】
2008152964.tif 000008
【図７】
2008152964.tif 000009
【図８】
2008152964.tif 000010
【図９】
2008152964.tif 000011
【図１０】
2008152964.tif 000012